(57)【要約】【課題】イオン放出方向の変更を可能としながら、効率良くイオン放出を行うことができる美容装置を提供する。【解決手段】イオン発生装置２０、送風装置３０、送風通路３１ａ，３１ｂ，３１ｃ及び放出口４ａがイオン放出ユニット１０として一体に構成され、該ユニット１０が美容装置１のハウジング３内に可動可能に支持される。つまり、イオン放出方向の変更の際には、イオン放出ユニット１０全体が可動する構成とされている。【選択図】図２
2011000387.tif 000002
【特許請求の範囲】
【請求項１】
イオンを生成するイオン発生装置と、生成されたイオンを放出するための送風を行う送風装置とを備え、その送風に乗せたイオンを送風通路を介して放出口から外部に放出させる美容装置であって、
前記イオン発生装置、送風装置、送風通路及び放出口をイオン放出ユニットとして一体に構成し、前記放出口からのイオンの放出方向を変更すべく前記イオン放出ユニットを美容装置のハウジング内に可動可能に支持する構成とされていることを特徴とする美容装置。
【請求項２】
請求項１に記載の美容装置において、
前記イオン発生装置は、放電電極にて放電を行う放電装置と、前記放電電極に液体を供給する液体供給手段とを備え、前記イオンとして帯電微粒子水を生成する静電霧化装置にて構成されていることを特徴とする美容装置。
【請求項３】
請求項２に記載の美容装置において、
前記液体供給手段は、ペルチェ素子の冷却動作にて前記放電装置の放電電極に結露を生じさせ結露水として供給する冷却装置にて構成されていることを特徴とする美容装置。
【請求項４】
請求項１〜３のいずれか１項に記載の美容装置において、
前記イオン放出ユニットは、前記送風装置の送風方向に倣った前記送風通路及び前記放出口とするとともに、前記イオン発生装置でのイオンの放出方向をその送風方向に倣わせて構成されていることを特徴とする美容装置。
【請求項５】
請求項４に記載の美容装置において、
前記イオン発生装置は、前記送風装置の下流側に設けられていることを特徴とする美容装置。
【請求項６】
請求項５に記載の美容装置において、
前記イオン発生装置には、前記送風装置で発生する送風の一部がそのイオン発生部分に導入される副流路が設けられていることを特徴とする美容装置。
【請求項７】
請求項１〜６のいずれか１項に記載の美容装置において、
前記イオン放出ユニットには、前記放出口を有する筒状に突設されたイオン放出ノズルが備えられ、
前記ハウジングには、前記イオン放出ユニットのイオン放出ノズルが挿入されて前記放出口を外部に露出させるとともに、前記イオン放出ユニットの可動に伴う前記イオン放出ノズルの移動を許容する開口部が設けられていることを特徴とする美容装置。
【請求項８】
請求項７に記載の美容装置において、
前記イオン放出ユニットには、前記ハウジングの内側面における前記開口部の周縁部分に当接し、前記イオン放出ユニットの可動に伴う前記イオン放出ノズルの移動範囲において常に該ノズル以外の前記開口部を閉塞するノズルカバーが備えられていることを特徴とする美容装置。
【請求項９】
請求項８に記載の美容装置において、
前記イオン放出ユニットは、前記イオン放出ユニットの可動範囲において常に前記ノズルカバーが前記ハウジングの内側面に当接状態となるように前記ハウジングに対して支持されていることを特徴とする美容装置。
【発明の詳細な説明】
【技術分野】
【０００１】
本発明は、イオン発生装置を備えた美容装置に関するものである。
【背景技術】
【０００２】
従来、イオン発生装置を備えた美容装置が知られており（例えば特許文献１参照）、この美容装置の内部には送風装置が備えられ、生成されたイオンを送風に乗せてより遠くに飛散させるようにしている。また、イオン発生装置にて生成されたイオンは、その放出方向の指向性が高いため、より多くのイオンを使用者に到達させるには、一般にノズル（放出口）を独立して可動させる機構を採用し、ノズルを可動させてイオンの放出方向の調整が行われている。
【先行技術文献】
【特許文献】
【０００３】
【特許文献１】特開２００６−２０５０９４号公報
【発明の概要】
【発明が解決しようとする課題】
【０００４】
ところで、上記したようにイオンの放出方向は指向性が高いため、ノズルの角度によっては、イオン発生装置からイオン放出口に放出される経路上に屈曲が生じたり、屈曲状態が悪化することによって、イオン発生装置にて生成したイオンが放出経路の内壁面に対する衝突の増加にてイオン放出口に到達する量が減少し、効率的にイオンを外部に放出できてないという課題があった。
【０００５】
本発明は、上記課題を解決するためになされたものであって、その目的は、イオン放出方向の変更を可能としながら、効率良くイオン放出を行うことができる美容装置を提供することにある。
【課題を解決するための手段】
【０００６】
上記課題を解決するために、請求項１に記載の発明は、イオンを生成するイオン発生装置と、生成されたイオンを放出するための送風を行う送風装置とを備え、その送風に乗せたイオンを送風通路を介して放出口から外部に放出させる美容装置であって、前記イオン発生装置、送風装置、送風通路及び放出口をイオン放出ユニットとして一体に構成し、前記放出口からのイオンの放出方向を変更すべく前記イオン放出ユニットを美容装置のハウジング内に可動可能に支持する構成とされていることをその要旨とする。
【０００７】
この発明では、イオン発生装置、送風装置、送風通路及び放出口がイオン放出ユニットとして一体に構成されて美容装置のハウジング内に可動可能に支持される構成としたことによって、イオンの放出方向を変更するためには、放出口のみならずイオン放出ユニット全体が可動する。そのため、イオン放出経路の形状が常に一定に維持され、イオン放出経路に屈曲が生じたり屈曲状態が悪化することが防止されるため、イオン放出方向の変更に伴うイオン放出量の減少が防止され、生成されたイオンが効率良く放出されるようになる。
【０００８】
請求項２に記載の発明では、請求項１に記載の美容装置において、前記イオン発生装置は、放電電極にて放電を行う放電装置と、前記放電電極に液体を供給する液体供給手段とを備え、前記イオンとして帯電微粒子水を生成する静電霧化装置にて構成されていることをその要旨とする。
【０００９】
この発明では、イオン発生装置は静電霧化装置にて構成され、液体供給手段から液体が供給された放電装置の放電電極が放電することで、イオンとして帯電微粒子水が生成される。つまり、高い美容作用や健康作用が得られるとされる帯電微粒子水が使用者に向けて効率良く放出されるようになる。
【００１０】
請求項３に記載の発明では、請求項２に記載の美容装置において、前記液体供給手段は、ペルチェ素子の冷却動作にて前記放電装置の放電電極に結露を生じさせ結露水として供給する冷却装置にて構成されていることをその要旨とする。
【００１１】
この発明では、ペルチェ素子によって放電電極が冷却され、放電電極に空気中の水分から結露を生じさせその結露水が静電霧化に用いられる。これにより、静電霧化のための液体をタンク等の貯留手段を用いることなく対応できるため、美容装置の小型軽量化や、液体をその都度供給する手間を省略できる。
【００１２】
請求項４に記載の発明では、請求項１〜３のいずれか１項に記載の美容装置において、前記イオン放出ユニットは、前記送風装置の送風方向に倣った前記送風通路及び前記放出口とするとともに、前記イオン発生装置でのイオンの放出方向をその送風方向に倣わせて構成されていることをその要旨とする。
【００１３】
この発明では、送風装置の送風方向に倣った送風通路及び放出口に設定され、イオン発生装置でのイオンの放出方向もその送風方向に倣った設定とされるため、イオン放出経路を直線的に構成でき、イオン放出量の減少をより小さく抑制できる。これにより、生成されたイオンがより効率良く放出されるようになる。
【００１４】
請求項５に記載の発明では、請求項４に記載の美容装置において、前記イオン発生装置は、前記送風装置の下流側に設けられていることをその要旨とする。
この発明では、イオン発生装置は送風装置の下流側に設けられるため、送風装置がイオン放出の障害物となることが防止され、生成されたイオンがより効率良く放出されるようになる。また請求項３の発明に適用することで、送風装置からの送風が冷却風としてイオン発生装置を構成する冷却装置に供給され、冷却装置での冷却効率が向上する。そのため、放電電極に十分な結露水を生成でき、イオン（帯電微粒子水）を十分に生成できる。
【００１５】
請求項６に記載の発明では、請求項５に記載の美容装置において、前記イオン発生装置には、前記送風装置で発生する送風の一部がそのイオン発生部分に導入される副流路が設けられていることをその要旨とする。
【００１６】
この発明では、イオン発生装置に副流路を設けたことよって送風装置で発生する送風の一部がそのイオン発生部分に導入されるため、生成されたイオンが送風に乗り易くなり、イオンがより効率良く放出されるようになる。
【００１７】
請求項７に記載の発明では、請求項１〜６のいずれか１項に記載の美容装置において、前記イオン放出ユニットには、前記放出口を有する筒状に突設されたイオン放出ノズルが備えられ、前記ハウジングには、前記イオン放出ユニットのイオン放出ノズルが挿入されて前記放出口を外部に露出させるとともに、前記イオン放出ユニットの可動に伴う前記イオン放出ノズルの移動を許容する開口部が設けられていることをその要旨とする。
【００１８】
この発明では、ハウジングの開口部に沿ってイオン放出ノズルが移動可能に構成され、該ノズルから放出されるイオンの放出方向が調整可能とされている。その際、筒状に突設されたイオン放出ノズルを使用者が把持して操作する等してイオン放出方向の調整（イオン放出ユニットの可動位置の調整）を容易に行うことも可能である。
【００１９】
請求項８に記載の発明では、請求項７に記載の美容装置において、前記イオン放出ユニットには、前記ハウジングの内側面における前記開口部の周縁部分に当接し、前記イオン放出ユニットの可動に伴う前記イオン放出ノズルの移動範囲において常に該ノズル以外の前記開口部を閉塞するノズルカバーが備えられていることをその要旨とする。
【００２０】
この発明では、ハウジングの内側面における開口部の周縁部分にノズルカバーが当接し、イオン放出ユニットの可動に伴うイオン放出ノズルの移動範囲において常に該ノズル以外の開口部が閉塞される。これにより、開口部での異物の挟持や異物の侵入が防止され、安全性や信頼性の向上に寄与できる。
【００２１】
請求項９に記載の発明では、請求項８に記載の美容装置において、前記イオン放出ユニットは、前記イオン放出ユニットの可動範囲において常に前記ノズルカバーが前記ハウジングの内側面に当接状態となるように前記ハウジングに対して支持されていることをその要旨とする。
【００２２】
この発明では、イオン放出ユニットの可動範囲において常にノズルカバーがハウジングの内側面に当接状態となるため、ハウジングに設けた開口部を常に閉塞状態とすることができ、開口部での異物の挟持や異物の侵入がより確実に防止される。
【発明の効果】
【００２３】
本発明によれば、イオン放出方向の変更を可能としながら、効率良くイオン放出を行うことができる美容装置を提供することができる。
【図面の簡単な説明】
【００２４】
【図１】本実施形態における美容装置の斜視図である。
【図２】美容装置の垂直断面図である。
【図３】美容装置の水平断面図である。
【図４】イオン放出ユニットの垂直断面図である。
【図５】イオン放出ユニットの水平断面図である。
【図６】イオン放出ユニットの支持方法を示した垂直断面図である。
【図７】イオン放出ユニットに消音材を取り付けた場合の垂直断面図である。
【図８】イオン放出ユニットを２個取り付けた場合の水平断面図である。
【図９】脚部に角度調節部材を取り付けた場合の垂直断面図である。
【発明を実施するための形態】
【００２５】
以下、本発明を具体化した一実施形態を図面に従って説明する。
図１〜図３に示すように、本実施形態の美容装置１は、円錐台状に形成された脚部２と、該脚部２の上面に固定され全体が略球状に形成されたハウジング３とを備えている。ハウジング３の内部には、美容装置１を構成する各種構成部品が収容されている。
【００２６】
ハウジング３の前面中央部には、上下方向に長い長円形状の開口部３ａが設けられ、ハウジング３内に設けられるイオン放出ユニット１０の略円筒状のイオン放出ノズル４がその開口部３ａから外部に突出している。イオン放出ノズル４の内側には、イオンを放出するイオン放出口４ａが設けられている。イオン放出ノズル４は、例えばこのノズル４を使用者が把持して操作することで開口部３ａに沿って上下方向に移動可能（イオン放出ユニット１０が上下方向に傾動可能）に構成され、該イオン放出ノズル４から放出されるイオンの放出方向が調整可能とされている。
【００２７】
使用者がイオン放出ノズル４と対向するように美容装置１を見た場合のハウジング３の頂上部の右方向には、使用者が美容装置１のオンオフ等の動作をさせる際に操作する操作ボタン５が備えられている。ハウジング３の頂上部の左方向にはＬＥＤ表示部６が備えられ、美容装置１のオンオフ等の作動状態をＬＥＤの点灯状態によって示して使用者が確認できるようにされている。また、ハウジング３の頂上部後方には、使用者が美容装置１を持ち運びするための収納可能なハンドル７が取り付けられている。
【００２８】
図２及び図３に示すように、ハウジング３の内部には、イオン放出ユニット１０の後端側部分を収容して支持する有底略四角筒状の支持部材１１が該ハウジング３の内側面の所定部位に対して固定されている。支持部材１１に備えられる左右一対の側壁１２ａ，１２ｂには、それぞれ軸受凹部１３ａ，１３ｂが設けられており、イオン放出ユニット１０のユニットケース１０ａの左右両側から突出形成された軸受凸部１１ａ，１１ｂが嵌合されて、イオンの放出方向を変更すべくイオン放出ユニット１０が上下方向に傾動可能に支持されている。このイオン放出ユニット１０の上下方向に傾動は、球状をなすハウジング３の中心を通る水平線がその傾動軸となるように軸受凹部１３ａ，１３ｂの位置が設定され、またハウジング３内の所定部位１４ａ，１４ｂ（図２参照）により規制にてその傾動範囲が決められている。なお、支持部材１１の軸受凹部１３ａ，１３ｂの周囲には金属バネ１５ａ，１５ｂが装着されており、イオン放出ユニット１０はその金属バネ１５ａ，１５ｂの左右両側面への押圧による摩擦力の増大により、上下方向の傾動角度が任意の角度で保持されるようになっている。
【００２９】
イオン放出ユニット１０は、ハウジング３の中央部から開口部３ａに向かって延びるように配置され、生成したイオンを送風に乗せて外部に放出するようにイオン発生装置２０及び送風装置３０を備えて構成されている。詳しくは、図２〜図５に示すように、イオン放出ユニット１０は略四角筒状のユニットケース１０ａを有し、該ケース１０ａの後端部に軸流ファンよりなる送風装置３０が配置されている。送風装置３０は、ファンを回転させて送風を生じさせている。ここで、前記脚部２の中央部には、ハウジング３の内部空間と繋がる複数の空気取入口３１が形成されており、送風装置３０はその空気取入口３１を介して脚部２の下面側から外気を取り込むことで送風を生じさせている。この送風装置３０の下流にはイオン発生装置２０が設けられている。因みに、送風装置３０の軸線上に、イオン発生装置２０の冷却装置２１と、その放電装置２２（放電電極２３）と、イオン放出ノズル４とのそれぞれが並んで配置されている。
【００３０】
イオン発生装置２０は、静電霧化装置よりなり、放電装置２２と冷却装置２１とを備えてなる。放電装置２２には、イオン放出ノズル４の放出口４ａの中心部に向けて突出する針状の放電電極２３と、該放電電極２３の先端側に配置されその放電電極２３の延長上に貫通孔２４ａが設けられた対向電極２４とを用いて構成されている。放電電極２３の基端部（送風装置３０側）には、冷却装置２１が並設され、該冷却装置２１を構成するペルチェ素子２５の冷却面が放電電極２３に接触するように配置されている。ペルチェ素子２５の冷却面の反対側の放熱面には放熱フィン２６が取り付けられ、放熱フィン２６には送風装置３０にて生成される送風の一部が冷却風として供給されるようになっている。
【００３１】
このようなイオン発生装置２０は、放電電極２３と対向電極２４と間に高電圧が印加されて放電電極２３周りにコロナ放電を生じさせ、またペルチェ素子２５の駆動により放電電極２３を冷却して該放電電極２３の表面に結露を生じさせることで、結露水の静電霧化にてイオン化したナノサイズの微粒子水（帯電微粒子水）を生成している。なお、この帯電微粒子水は、使用者の肌の角質層表面の隙間に浸透可能であり、使用者の肌に潤いとハリを与えて高い美容作用や健康作用が得られるものである。
【００３２】
また、このイオン発生装置２０では、放電電極２３に結露を生じさせて該放電電極２３に水分を供給するペルチェ素子２５が用いられることから、タンク等による水の貯留が必要なく、美容装置１の小型軽量化や、注水の手間の必要がない構成となっている。
【００３３】
また、送風装置３０がイオン発生装置２０の上流側に配置されていることで、イオン発生装置２０にて生成された帯電微粒子水が送風装置３０に進行を妨害されることなく、放出可能とされている。
【００３４】
ユニットケース１０ａ内には、送風装置３０とイオン発生装置２０とを繋ぐ送風通路３１ａと、イオン発生装置２０の周囲に設けられる送風通路３１ｂと、イオン発生装置２０からイオン放出ノズル４とを繋ぐ送風通路３１ｃとが連続して設けられている。送風装置３０とイオン発生装置２０との間の送風通路３１ａは、送風装置３０からイオン発生装置２０に向けて次第に絞り込まれており、送風装置３０にて生成した送風の流速が高められている。また、イオン発生装置２０とイオン放出ノズル４との間の送風通路３１ｃにおいても、イオン発生装置２０からイオン放出ノズル４に向けて次第に絞り込まれて送風の流速が高められており、またイオン発生装置２０にて生成した帯電微粒子水が送風に混ざり送風に多くを乗せる役割も担っている。これらにより、より多くの帯電微粒子水がイオン放出ノズル４からより遠くに放出されるようになっている。
【００３５】
送風装置３０にて生成され送風通路３１ａを通過する送風の一部は、イオン発生装置２０を囲う外郭ケーシング３２の送風装置３０側に設けられた副流路３３（図５参照）に流入し、適当量の送風がイオン発生装置２０の放電電極２３に供給されるようになっている。副流路３３を経た送風の一部は、放電電極２３の先端に付着する結露を吹き散らさずに、該放電電極２３の放電にて生成される帯電微粒子水を送風に乗せ易いようになっており、これによっても帯電微粒子水をより多く放出することに寄与している。
【００３６】
ユニットケース１０ａの先端部には、前記イオン放出ノズル４が形成されたノズルカバー４ｂが一体に設けられている。ノズルカバー４ｂは、イオン放出ユニット１０がいずれの傾動角度となってもハウジング３の開口部３ａを閉塞する大きさに形成されており、またハウジング３の内側面に倣った所定の球面形状をなすことで該ハウジング３の内側面における開口部３ａの周縁部分に常に当接するようになっている。前述のように、イオン放出ユニット１０の傾動は、球状をなすハウジング３の中心を通る水平線がその傾動軸となっているため、ノズルカバー４ｂはハウジング３の内側面に常に密接して可動させることができるようになっており、ハウジング３に設けた開口部３ａを常に閉塞状態としている。ノズルカバー４ｂに設けられるイオン放出ノズル４は、その放出方向に向けて内側面（イオン放出口４ａ）が拡開されており、放出される帯電微粒子水を広範囲に広げるようになっている。
【００３７】
図２及び図３に示すように、美容装置１の動作を制御する制御回路４０は、イオン放出ユニット１０を支持する支持部材１１の底面の裏面側に取り付けられている。本体脚部２の後面にはプラグピン４１（図２参照）が備えられ、図示しない電源アダプタが差し込めるようになっている。この電源アダプタを通じてプラグピン４１からリード線４２を介して制御回路４０に電源供給が行われる。
【００３８】
そして、使用者が操作ボタン５を押すと、美容装置１のオンオフ等の操作信号が該操作ボタン５からリード線４３を介して制御回路４０に出力され、該制御回路４０は操作信号に基づいてイオン発生装置２０及び送風装置３０を制御する。すなわち、操作信号がオンの状態になると、イオン発生装置２０においては放電電極２３に放電用の高電圧が印加されるとともに、ペルチェ素子２５には冷却動作用の駆動電圧が印加され、また送風装置３０にはファン動作用の駆動電圧が印加されるようになっている。またこのとき、制御回路４０とリード線４４を介して接続された表示回路４５は、ＬＥＤ表示部６の点灯制御を行っており、操作ボタン５のオン操作時にはＬＥＤ表示部６を点灯、オフ操作時にはＬＥＤ表示部６の消灯を行い、使用者に動作状態の報知を行っている。
【００３９】
次に、本実施形態の特徴的な作用効果を記載する。
（１）本実施形態では、イオン発生装置２０、送風装置３０、送風通路３１ａ，３１ｂ，３１ｃ及び放出口４ａがイオン放出ユニット１０として一体に構成されて美容装置１のハウジング３内に可動可能（傾動可能）に支持される構成としたことによって、イオンの放出方向を変更するためには、イオン放出ノズル４（放出口４ａ）のみならずイオン放出ユニット１０全体が可動する。そのため、イオン放出経路の形状が常に一定に維持され、イオン放出経路に屈曲が生じたり屈曲状態が悪化することが防止されるため、イオン放出方向の変更に伴うイオン放出量の減少が防止され、生成されたイオンが効率良く放出されるようになる。
【００４０】
（２）本実施形態では、イオン発生装置２０は静電霧化装置にて構成され、冷却装置２１（液体供給手段）にて生成された結露水が供給された放電装置２２の放電電極２３が放電することで、イオンとして帯電微粒子水が生成される。つまり、高い美容作用や健康作用が得られるとされる帯電微粒子水が使用者に向けて効率良く放出されるようになる。
【００４１】
（３）本実施形態では、ペルチェ素子２５によって放電電極２３が冷却され、放電電極２３に空気中の水分から結露を生じさせその結露水が静電霧化に用いられる。これにより、静電霧化のための液体をタンク等の貯留手段を用いることなく対応できるため、美容装置１の小型軽量化や、液体をその都度供給する手間を省略できる。
【００４２】
（４）本実施形態では、送風装置３０の送風方向に倣った送風通路３１ａ，３１ｂ，３１ｃ及び放出口４ａに設定され、イオン発生装置２０でのイオンの放出方向もその送風方向に倣った設定とされるため、イオン放出経路を直線的に構成でき、イオン放出量の減少をより小さく抑制できる。これにより、生成されたイオンがより効率良く放出されるようになる。
【００４３】
（５）本実施形態では、イオン発生装置２０は送風装置３０の下流側に設けられるため、送風装置３０がイオン放出の障害物となることが防止され、生成されたイオンがより効率良く放出されるようになる。また、送風装置３０からの送風が冷却風としてイオン発生装置２０を構成する冷却装置２１に供給され、冷却装置２１での冷却効率が向上する。そのため、放電電極２３に十分な結露水を生成でき、イオン（帯電微粒子水）を十分に生成できる。
【００４４】
（６）本実施形態では、イオン発生装置２０に副流路３３を設けたことよって送風装置３０で発生する送風の一部がそのイオン発生部分に導入されるため、生成されたイオンが送風に乗り易くなり、イオンがより効率良く放出されるようになる。
【００４５】
（７）本実施形態では、ハウジング３の開口部３ａに沿ってイオン放出ノズル４が移動可能に構成され、該ノズル４から放出されるイオンの放出方向が調整可能とされている。その際、筒状に突設されたイオン放出ノズル４を使用者が把持して操作する等してイオン放出方向の調整（イオン放出ユニット１０の可動位置の調整）を容易に行うことも可能である。
【００４６】
（８）本実施形態では、ハウジング３の内側面における開口部３ａの周縁部分にノズルカバー４ｂが当接し、イオン放出ユニット１０の可動に伴うイオン放出ノズル４の移動範囲において常に該ノズル４以外の開口部３ａが閉塞される。これにより、開口部３ａでの異物の挟持や異物の侵入が防止され、安全性や信頼性の向上に寄与できる。
【００４７】
（９）本実施形態では、イオン放出ユニット１０の可動範囲において常にノズルカバー４ｂがハウジング３の内側面に当接状態となるため、ハウジング３に設けた開口部３ａを常に閉塞状態とすることができ、開口部３ａでの異物の挟持や異物の侵入がより確実に防止される。
【００４８】
尚、本発明の実施形態は、以下のように変更してもよい。
・上記実施形態では、ペルチェ素子２５を用いた冷却装置２１にて放電電極２３に結露水を供給するようにしたが、タンク等を用いて液体供給を行ってもよい。また、水以外の液体を用いてもよい。
【００４９】
・上記実施形態では、イオン発生装置２０、送風装置３０、送風通路３１ａ，３１ｂ，３１ｃ及び放出口４ａを送風装置３０の軸線上（送風方向に沿った直線上）に配置したが、これに限定されるものではなく、例えばイオン発生装置２０をユニットケース１０ａの外側面に取り付け、生成されたイオンを送風経路から外れた位置から送風通路３１ａ，３１ｂ，３１ｃに放出させるようにしてもよい。
【００５０】
・上記実施形態では、送風装置３０をイオン発生装置２０の上流側に設けたが、送風装置３０をイオン発生装置２０の下流側に設けてもよい。
・上記実施形態では、送風装置３０に軸流ファンを用いたが、シロッコファン等、他の送風装置を用いてもよい。
【００５１】
・上記実施形態では、イオン放出ユニット１０を支持部材１１に対して上下方向に傾動可能に支持する構成としたが、図６に示すように、イオン放出ユニット１０の上下に軸受凸部１１ｃ，１１ｄを、支持部材１１にそれに対応した軸受凹部１３ｃ，１３ｄを設けて垂直方向に傾動軸を設け、イオン放出ユニット１０を左右方向に傾動する構成としてもよい。また、これらを組み合わせてイオン放出ユニット１０を上下・左右の２軸の傾動が可能な構成としてもよい。またこれらを応用して、３軸以上の傾動が可能な構成としてもよい。
【００５２】
・上記実施形態では、イオン放出ユニット１０の傾動角度の保持を行う金属バネ１５ａ，１５ｂを用いているが、他の弾性体を用いてもよい。また、金属バネ１５ａ，１５ｂの摩擦力によってイオン放出ユニット１０を任意の角度に保持しているが、任意の角度ごとにロックする機能を設け、段階的にイオン放出ユニット１０の角度を調節してもよい。
【００５３】
・上記実施形態では、イオン放出ユニット１０の傾動範囲を規制するためのハウジング３内の所定部位１４ａ，１４ｂはハウジング３と同等の高い剛性にて構成されているが、その規制を図る部位１４ａ，１４ｂにゴム等の柔軟材を取着し、イオン放出ユニット１０との衝撃を緩和するようにしてもよい。
【００５４】
・上記実施形態におけるイオン発生装置２０とイオン放出口４ａの間において、図７に示すように、イオン放出ユニット１０の内側面にウレタン等の消音材５０を配置してもよい。これによりイオン発生時の放電音等を緩和でき、使用時の静粛性を高めることができる。
【００５５】
・上記実施形態では、イオン放出ユニット１０を１個用いて構成したが、図８に示すように、２個のイオン放出ユニット１０を用いて構成してもよい。この場合、２個のイオン放出ユニット１０の連結する側面のどちらか一方に軸受凹部１３ｂを設けて互いに連結させてもよい。またこの場合、２個のイオン放出ユニット１０を別々に傾動させてもよい。また、３個以上のイオン放出ユニット１０を用いてもよい。
【００５６】
・上記実施形態では、イオン放出ユニット１０を支持部材１１にて支持しているが、ハウジング３に直接的に支持する構成としてもよい。
・上記実施形態では、イオン放出ユニット１０を傾動可能に支持したが、例えばスライド可能等、その他の可動可能な構成に変更してもよい。
【００５７】
・上記実施形態では、ハウジング３の内側面にノズルカバー４ｂを当接させた構造としたが、ハウジング３の外側面にノズルカバー４ｂを当接させる構造としてもよい。
・上記実施形態における脚部２において、図９に示すように、脚部２の底部に美容装置１の設置角度を調整するための角度調節部材５１を設けてもよい。これにより、より広範囲にイオンを放出することができる。
【００５８】
・上記実施形態における脚部２において特に言及しなかったが、図２に示すように、脚部２の底部にゴム等の柔軟材による滑り止め５２を設置してもよい。これにより、容易に美容装置１が移動せず、安全に使用可能となる。
【符号の説明】
【００５９】
１…美容装置、３…ハウジング、３ａ…開口部、４…イオン放出ノズル、４ａ…イオン放出口、４ｂ…ノズルカバー、１０…イオン放出ユニット、２０…イオン発生装置（静電霧化装置）、２１…冷却装置（液体供給手段）、２２…放電装置、２３…放電電極、２５…ペルチェ素子、３０…送風装置、３１ａ，３１ｂ，３１ｃ…送風通路、３３…副流路。
【図１】
2011000387.tif 000003
【図２】
2011000387.tif 000004
【図３】
2011000387.tif 000005
【図４】
2011000387.tif 000006
【図５】
2011000387.tif 000007
【図６】
2011000387.tif 000008
【図７】
2011000387.tif 000009
【図８】
2011000387.tif 000010
【図９】
2011000387.tif 000011